(57)【要約】【課題】白色光源を用いる車載用灯具において、ロービームのカットオフラインを良好に結像することができ、薄肉で成形性の良い回折レンズを提供すること。【解決手段】光線の入射側と出射側の両方が凸形状である回折レンズにおいて、出射側には回折次数の絶対値が５次以上の出射回折面を配置し、入射面の面頂点における曲率の絶対値よりも、出射回折面の包絡面の面頂点における曲率の絶対値の方が小さい、または、入射面の外周部における光軸方向のサグ量の絶対値の最大値よりも、出射回折面の包絡面の外周部における光軸方向のサグ量の絶対値の方が小さい形状とした。【選択図】図１
2018116800.tif 000002
【特許請求の範囲】
【請求項１】
光線の入射側と出射側の両方が凸形状である回折レンズにおいて、
前記出射側には回折次数の絶対値が５次以上の出射回折面を配置し、
入射面の面頂点における曲率の絶対値よりも、前記出射回折面の包絡面の面頂点における曲率の絶対値の方が小さい、または、前記入射面の外周部における光軸方向のサグ量の絶対値の最大値よりも、前記出射回折面の包絡面の外周部における光軸方向のサグ量の絶対値の方が小さい形状とした、
ことを特徴とする回折レンズ。
【請求項２】
請求項１に記載の回折レンズであって、
前記入射面の面頂点と前記出射回折面の包絡面の面頂点との間隔に対する、レンズ有効領域の最外周における面間隔の比が、０．２５以上、０．５以下であることを特徴とする回折レンズ。
【請求項３】
請求項１に記載の回折レンズであって、
前記入射面と前記出射回折面のトータルレンズパワに対する、前記出射回折面のレンズパワの比が、０．３以上、０．６以下であることを特徴とする回折レンズ。
【請求項４】
請求項１に記載の回折レンズであって、
レンズ焦点距離に対する、前記入射面の面頂点と前記出射回折面の包絡面の面頂点との間隔の比が、０．２以上、０．３５以下であることを特徴とする回折レンズ。
【請求項５】
車載用灯具において、
光を放射する光源と、
前記光源から放射された光を反射、集光するリフレクタと、
前記リフレクタで反射、集光された光の一部を遮蔽するシェードと、
前記シェードを通過した光を入射して車両前方へ照射する回折レンズとを備え、
前記回折レンズは、入射側と出射側の両方を凸形状とし、前記出射側には回折次数の絶対値が５次以上の出射回折面を配置するとともに、入射面の面頂点における曲率の絶対値よりも、前記出射回折面の包絡面の面頂点における曲率の絶対値の方が小さい、または、前記入射面の外周部における光軸方向のサグ量の絶対値の最大値よりも、前記出射回折面の包絡面の外周部における光軸方向のサグ量の絶対値の方が小さい、
ことを特徴とする車載用灯具。
【発明の詳細な説明】
【技術分野】
【０００１】
本発明は、回折レンズおよびそれを用いた車載用灯具に関する。
【背景技術】
【０００２】
本発明の背景技術として、特許文献１には、カメラやプロジェクタなどに用いるレンズをその光学性能を維持したまま薄肉化するため、高次回折光を用いる回折レンズで構成することが開示されている。そしてこの回折レンズは、車載用灯具にも適用できることが示唆されている。
【０００３】
また特許文献２には、車載用灯具の全長を短縮するため、フレネルレンズを用いる構成が開示されている。さらに特許文献３には、光ディスク用対物レンズとして、複数の波長で共用するために回折レンズを用いることが開示されている。
【先行技術文献】
【特許文献】
【０００４】
【特許文献１】特開２０１６−１２０３号公報
【特許文献２】特開２００８−１８１７１７号公報
【特許文献３】特開２００５−１８９６７号公報
【発明の概要】
【発明が解決しようとする課題】
【０００５】
車載用前照灯に用いるレンズには、薄肉化の要求とともに、ロービーム照射時のカットオフラインの結像性能の確保が求められる。
【０００６】
特許文献１に記載されている回折レンズはメニスカスレンズ（片面が凹面で他の面がそれより曲率の大きい凸面で構成されるレンズ）であり、金型成形で離型、冷却する過程で発生する応力により回折レンズの格子面が変形しやすい。その結果、車載用前照灯として用いる場合、ロービームのカットオフラインの結像性能（コントラスト）が低下する課題がある。
【０００７】
特許文献２に記載されているレンズは車載用レンズであるが、フレネルレンズのためにロービームのカットオフラインの結像性能が十分得られない課題がある。ここでフレネルレンズとは、一様な連続するレンズ曲面を光軸から面内に放射状に等間隔に、または光軸方向に面の高さを等間隔に区分して、区分された面形状を保ったまま光軸方向に面の高さを切り揃えて薄肉化したレンズである。よって、所望のレンズ特性を得るための包絡面の形状とレンズパワを規定する位相関数とを同時に満足させることが困難である。
【０００８】
特許文献３に記載されているレンズは車載用のレンズではなく光ディスク用レンズであるが、回折レンズとして一般的に知られており、情報記録面をセンサに結像する役目がある。この回折レンズは、複数の波長のレーザー光に用いるために１次回折光を利用しているが、車載用前照灯として白色光に用いるためには、回折効率の低下や不要な高次回折光の迷光発生などが課題となる。
【０００９】
本発明は、白色光源を用いる車載用灯具において、ロービームのカットオフラインを良好に結像することができ、薄肉で成形性の良い回折レンズを提供することを目的とする。
【課題を解決するための手段】
【００１０】
本発明は、光線の入射側と出射側の両方が凸形状である回折レンズにおいて、前記出射側には回折次数の絶対値が５次以上の出射回折面を配置し、入射面の面頂点における曲率の絶対値よりも、前記出射回折面の包絡面の面頂点における曲率の絶対値の方が小さい、または、前記入射面の外周部における光軸方向のサグ量の絶対値の最大値よりも、前記出射回折面の包絡面の外周部における光軸方向のサグ量の絶対値の方が小さい形状とした、ことを特徴とする。
【発明の効果】
【００１１】
本発明によれば、白色光源を用いる車載用灯具において、ロービームのカットオフラインを良好に結像することができ、薄肉で成形性の良い回折レンズを提供することができる。
【図面の簡単な説明】
【００１２】
【図１】実施例１に係る回折レンズの形状を示す側面図。
【図２】回折レンズの寸法仕様の例を示す図。
【図３】輪帯境界の半径位置の算出方法を説明する図。
【図４】ロービーム照射時のカットオフラインの形成の原理を説明する図。
【図５】ロービーム照射時の配光分布の基準特性を示す図。
【図６】実施例１の回折レンズによるロービームの配光分布を示す図。
【図７】実施例１の回折レンズによるハイビームの配光分布を示す図。
【図８】実施例２に係る回折レンズの形状を示す側面図。
【図９】回折レンズの寸法仕様の例を示す図。
【図１０】実施例３に係る回折レンズの形状を示す側面図。
【図１１】回折レンズの寸法仕様の例を示す図。
【図１２】条件（第３の特徴）を満たさない回折レンズの配光分布を示す図。
【図１３】実施例４に係る車載用灯具の構成図。
【発明を実施するための形態】
【００１３】
以下、本発明の実施例を図面を用いて説明する。実施例１〜３では、ロービーム照射時に好適な光学性能（配光分布）が得られる回折レンズの形状について、また実施例４では、回折レンズを用いた車載用灯具の構成について述べる。
【実施例１】
【００１４】
図１は、実施例１に係る回折レンズの形状を示す側面図であり、図２は回折レンズの寸法仕様の例を一覧表で示したものである。
【００１５】
図１において、回折レンズ１０１の左側の入射面１０２には仮想光源１０３からの入射光線１０４が入射し、右側の出射面１０５からほぼ平行光となって出射している。後述するように、仮想光源１０３の位置には、自動車前照灯のロービーム照射時のカットオフラインを形成するための遮蔽物であるシェードが配置される。そのシェードのエッジの影が無限遠（実質的には十数ｍより遠い位置）に結像されるように、この回折レンズ１０１の形状が設計されている。
【００１６】
回折レンズ１０１の出射面１０５には、光軸１０６を中心とした光軸１０６に略平行な段差を有する輪帯状の回折レンズ面１０７（出射回折面とも呼ぶ）を配置している。回折レンズ面１０７は、段差の中央位置を連ねた包絡面１０８の形状によってその大局的な形状が規定されるとともに、段差によって区分されたその両側の輪帯を透過する光線に所定の光路差を与えるように設計している。
【００１７】
本実施例では図２に示す通り、設計中心波長５５０ｎｍで４０次回折光（高次の回折光）がほぼ１００％の回折効率を生じるようにしている。その回折条件は、垂直入射光の光路差は屈折率ｎと段差ｄに対し（ｎ−１）ｄで与えられ、この光路差が波長の４０倍となればよい。具体的には、レンズ材料として前記中心波長における屈折率ｎが１．４９４のアクリル樹脂を用いていることからであり、段差ｄを４６μｍ程度とすることで実現できる。斜め入射の光線に対しては前記光路差を実現する段差は変化するため、上記段差量は、斜め入射光線が多い外周領域では実際にはこの段差よりやや深くなる。
【００１８】
回折レンズ面１０７における入射角と出射角については、格子ピッチをｐ、前記包絡面１０８に対する入射光線の入射角をθ１、波長をλ、Ｎ次回折光の出射角をθ２、入射空間の屈折率をｎ１、出射空間の屈折率をｎ２、とするとき、数式１の関係が成り立つ。
【００１９】
【数１】
2018116800.tif 000003
【００２０】
数式１から分かるように、０次光の場合は包絡面に対して通常の屈折の法則（スネルの法則）を満足する出射角となり、そこから次数ごとにほぼ等間隔の角度刻みで各次数の出射角が決まる。しかし、本実施例の回折レンズはいわゆるブレーズ回折格子に当たるため、設計次数の波長で所定の入射角で上記光路差となる深さの格子形状とすることで、所定の次数にエネルギーを集中させることができる。
【００２１】
ここで回折レンズ面の格子ピッチｐは、回折面をレンズとして作用させるためには一定値にはならず、外周に向けて徐々にピッチを細かくしていかなければならない。その設計においては、通常、回折面によって加わる光路差の分布を位相関数として表し、その係数の値を、光学設計ソフトウエアにおいて最適化することで決定する。レンズの瞳半径座標を有効半径Ｒで規格化した規格化半径をρとすると、位相関数φ（ρ）は一般に数式２で表される。
【００２２】
【数２】
2018116800.tif 000004
【００２３】
ここで、α０、α２、α４が位相関数のそれぞれ０次、２次、４次の係数である。これを用いて回折レンズの輪帯境界の半径位置を決定する。
【００２４】
図３は、輪帯境界の半径位置の算出方法を説明する図である。グラフの横軸が規格化半径ρ、縦軸が位相関数値φ（ρ）であり、位相関数値が２πの整数倍となる半径位置ごとにその輪帯境界１３０１の半径位置を決定する。このとき、回折レンズの格子ピッチｐは、位相関数のある半径ρにおける局所的な傾きにピッチｐを乗じた位相変化が２Ｎπになる条件（数式３）から、数式４のように求められる。
【００２５】
【数３】
2018116800.tif 000005
【００２６】
【数４】
2018116800.tif 000006
【００２７】
本実施例における格子ピッチｐは、設計した位相関数から最外周においては９０．４μｍであった。
【００２８】
このように高次の回折光を用いる場合、波動光学による設計上は、４０次回折光が実用的な回折効率で生じる波長域は５５０ｎｍを中心に非常に狭い範囲にすぎない。しかし、その両側に３９次と４１次、さらにその両側には３８次と４２次と、次々に隣接する回折次数が入れ替わり立ち替わり生じる。その結果、実質的には可視光波長域の全域に渡って、連続的に高い回折効率が得られるのと等価な作用となる。隣接する回折次数の回折角は設計波長の回折角に近く、実質的に不要な迷光とはならず、実用的に利用可能な光となる。
【００２９】
これに対して、特許文献３などに記載される１次回折光を用いる回折レンズの場合は、１次回折光の得られる波長範囲は４０次回折光より広いものの、可視光波長域の全域をカバーできない。そのため、設計波長から大きくはずれた波長域では、１次回折光の回折効率が低下するとともに、回折角が１次回折光とは大きく異なる２次回折光や０次回折光が生じ、不要な迷光となる課題がある。この課題は、高次の回折光を用いることで解消される。
【００３０】
回折レンズにおいてどの次数から高次回折レンズと言えるかという点については、その境界は期待する効果の程度によって異なってくる。しかし、１次回折光を用いる従来の回折レンズが次数を延長されたとしても、ほとんど±５次以内で利用されている。よって、±５次以上の次数であれば本実施例で意図する高次回折レンズの範疇であり、上記した特有の効果が期待できる。白色光で用いる光学系において多くは５５０ｎｍなど緑色の波長を中心波長として光学系が設計されるが、一般に中心波長で５次回折光程度の次数を用いれば、可視光の波長域で複数の次数が最大回折効率のピークを持つようになる。従って、５次以上の回折次数を用いれば、少なくとも複数の回折次数の光が入れ替わり立ち替わり利用できる状況を享受することができる。
【００３１】
このようにして高次回折レンズで回折される光線は、実際上、回折レンズ面１０７の各輪帯面の表面で単に屈折される光線と等価となる。このようなレンズ作用は１次回折光を用いる従来の回折レンズと比べると、回折レンズというよりはむしろ特許文献２などに記載されているフレネルレンズに近いものとなる。しかし、一般にフレネルレンズは、元になる一様な曲面のレンズを光軸に垂直な面内で光軸からの距離を等間隔に区切るか、または光軸方向の面のサグ量を等間隔に区切るかして、区切られた面を光軸方向にスライドさせて略平面状に配列させたレンズである。このようなレンズの各輪帯面は、スライドさせる前には所定のレンズ作用を得るために最適な形状であったとしても、スライドさせることでレンズ厚が局所的に変わった状態となり、レンズ性能が劣化してしまう。
【００３２】
これに対して高次回折レンズでは、１次回折光を用いる従来の回折レンズと同様に、ベースとなる包絡面の形状と、回折レンズで与えられるレンズパワを規定する位相関数とを、同時に最適化することができる。つまり、回折レンズとなった状態で所望のレンズ作用が得られるように形状を設計できるので、レンズ性能が保証される。
【００３３】
高次回折レンズについては特許文献１にも記載されているが、本実施例における高次回折レンズには以下の特徴を有する。
【００３４】
（１）第１の特徴は、高次（５次以上）の回折レンズ面１０７を出射面１０５上に配置したことである。回折レンズ面を入射面１０２上に配置した場合は、仮想光源１０３から色々な角度で放射される光線が、回折レンズ面１０７の段差部に入射しやすくなり、これらが迷光を生じる要因となる。これに対し出射面１０５上に高次の回折レンズ面１０７を配置することで、入射光線１０４は、入射面１０２によって完全ではないとしても平行光線に近づいた状態に屈折されてから出射面１０５に入射する。従って、段差部に入射する光線は少なくなり、迷光の問題が低減する。
【００３５】
（２）第２の特徴は、回折レンズ１０１を両凸レンズの形状としたことである。特許文献１では入射面が凹面のメニスカスレンズ形状であったが、このような形状の場合、樹脂成形の工程で輪帯面の形状が変形しやすく、金型形状の補正が困難となる。そこで概略形状を両凸レンズ形状とし、図２に示すように入射面の面頂点の軸上曲率を正とし、出射回折面の包絡面の面頂点の軸上曲率を負としている。ここで曲率の符号は、曲率中心が光線進行方向側にある場合を正、光源側にある場合を負で表し、また曲率の絶対値は曲率半径の逆数である。
【００３６】
（３）第３の特徴は、図２に示すように、入射面１０２のレンズ外周部における光軸方向のサグ量の絶対値の最大値よりも、出射回折面１０７の包絡面１０８のレンズ外周部における光軸方向のサグ量の絶対値の方を小さくした、ことである。ここでサグ量とは、レンズ面が面頂点から光軸方向にどれだけ凹んでいるかを表す幾何学的な面形状量であり、光線進行方向へのサグ量を正、光源側方向へのサグ量を負で表す。すなわち、凸面の入射面１０２のサグ量は面頂点から周辺に向けて正方向に徐々に大きくなっており、凸面の出射面１０５のサグ量は面頂点から周辺に向けて負方向に徐々に大きくなっている、と言うことができる。ここで入射面のサグ量に「最大値」を付加した意味は、本実施例の入射面は非回転対称な自由曲面であるため入射面の有効領域の外周部のサグ量は方位によって異なり、その最大値を取り上げるためである。
【００３７】
なお、入射面と出射面の曲率形状に関しては、入射面１０２の面頂点における曲率の絶対値より、出射回折面１０７の包絡面１０８の面頂点における曲率の絶対値の方が大きくなっている。一般にレンズは概略的には球面形状をしており、サグ量が大きければ曲率も大きくなるのが普通である。しかし、近年では、結像性能に優れた樹脂成形の単レンズには非球面形状を用いるのが一般的となっている。この場合、サグ量の大小と軸上曲率の大小は必ずしも対応しなくなっており、本実施例も対応しないケースである。
【００３８】
（４）第４の特徴は、レンズ中心厚に対するコバ厚の比を０．２５以上、０．５以下としたことである。ここで中心厚とは、入射面の面頂点と出射回折面の包絡面の面頂点との間隔であり、コバ厚とは、レンズ有効領域の最も光軸から離れた半径位置における入射面と出射回折面の包絡面の間隔と定義する。本実施例では図２に示すように、中心厚は１５ｍｍ、コバ厚は５．９４ｍｍであった。このため中心厚に対するコバ厚の比は０．３９６であった。中心厚に対するコバ厚の比をある程度大きくすることによって、樹脂成形での残留応力による回折レンズ輪帯面の変形が小さくなり、レンズ性能が向上する。しかし、コバ厚の比が大きすぎるとレンズ全体の樹脂成形の成形時間が長くなり、製造コストが高くなる。これらを考慮してコバ厚の範囲には下限と上限がある。
【００３９】
（５）第５の特徴は、トータルレンズパワに対する回折レンズパワの比（回折レンズ面１０７の寄与分）を０．３以上、０．６以下としたことである。ここでレンズパワとは、レンズの焦点距離の逆数に当たるものであり、１ｍの焦点距離のレンズが１ジオプトリー（Ｄ）として定義される。回折レンズのレンズパワも含めた合成焦点距離は図２に示すように４８．０７５ｍｍであったことから、トータルレンズパワは２０．８Ｄである。一方、回折レンズの位相関数の２次の係数α２は−１５６８（ｒａｄ）であった。このときレンズ半径をＲ、設計波長をλ、回折次数をＮとすると、回折レンズパワＰdiffは数式５で与えられる。
【００４０】
【数５】
2018116800.tif 000007
【００４１】
この式にＮ＝４０、λ＝５５０（ｎｍ）、Ｒ＝３０．２８（ｍｍ）を代入すれば、回折レンズパワＰdiffは１２．０Ｄとなる。従って、トータルレンズパワに対する回折レンズパワの比は０．５７６である。回折レンズパワの比がある程度大きいと、所定のトータルレンズパワを得るために包絡面１０８の曲率が分担すべきレンズパワを小さくできる。その結果、レンズの曲率が小さくなり、面が平面に近づいてコバ厚を厚くできて、中心厚を薄くする設計が容易になる。ただし回折レンズパワの比が大きすぎると、輪帯幅が狭くなり金型加工が困難になる。これらを考慮して回折レンズパワの範囲には下限と上限がある。
【００４２】
（６）第６の特徴は、レンズ焦点距離に対する中心厚の比を０．２以上、０．３５以下としたことである。本実施例では焦点距離が前述のように４８．０７５ｍｍであり、中心厚が１５ｍｍであるので、焦点距離に対する中心厚の比は０．３１２であった。従来の車載用灯具に用いられるレンズが同様の焦点距離で中心厚が２０ｍｍ以上であることから、本実施例の中心厚１５ｍｍ前後とすることで中心厚は約１／√（１．８）となり、レンズ成形時間をおおよそ半分に短縮する効果がある。従って本実施例の比率に多少の余裕を見て０．３５程度を上限とすれば、ほぼ成形時間半減の効果を得ることができる。しかし中心厚をあまり薄くしすぎると、回折レンズパワをその分大きくしなければならないので、輪帯幅が狭くなりすぎて金型加工が困難になる。従って、現実的には０．２程度までの薄肉化が限界となる。
【００４３】
このようなレンズ薄肉化は本実施例の高次回折レンズを適用することによって可能となったものであり、また上記した焦点距離に対する中心厚の比の範囲は、単なる設計事項の値ではなく、本実施例の高次回折レンズの性能を実現するための条件を間接的に規定したものである。
【００４４】
以上の本実施例の６つの特徴について、前記した３つの特許文献に記載のレンズが満たしているかどうかを比較する。
【００４５】
＜特許文献１の回折レンズ＞
・第１の特徴：満たす。出射面に高次回折レンズ面を形成している。
・第２の特徴：満たさず。入射面が凹面である。
・第３の特徴：満たさず。サグ量は入射面側より出射面側の方が大きい。
・第４の特徴：満たさず。中心厚に対するコバ厚の比は０．２と小さい。
・第５の特徴：満たす。高次回折レンズを用いることで回折レンズパワは大きい。
・第６の特徴：満たす。レンズ薄肉化を狙った発明である。
【００４６】
＜特許文献２のフレネルレンズ＞
・第１の特徴：（満たす）。平面のフレネルレンズであることから、高次回折レンズに近い作用を有するとも考えられる。
・第２の特徴：満たさず。平板レンズであることから両凸レンズではない。
・第３の特徴：満たさず。サグ量（および曲率）はない。
・第４の特徴：満たさず。平板レンズであることからコバ厚と中心厚は等しい。
・第５の特徴：満たさず。レンズパワはすべて回折レンズと考えられる。
・第６の特徴：満たさず。焦点距離に対する中心厚の比は０．１程度に読み取れる。
【００４７】
＜特許文献３の回折レンズ＞
・第１の特徴：満たさず。１次回折光を用いる回折レンズである。
・第２の特徴：満たす。両凸レンズである。
・第３の特徴：満たさず。サグ量は入射面側より出射面側の方が大きい。
・第４の特徴：満たす。中心厚に対するコバ厚の比は０．３程度と読み取れる。
・第５の特徴：満たさず。１次回折光を用いることから回折レンズパワは大きくできず、レンズパワに対する比は０．３未満である。
・第６の特徴：満たさず。焦点距離に対する中心厚の比は０．５程度と読み取れる。
【００４８】
以上の比較の結果、第３の特徴はいずれの特許文献も満たしておらず、入射面のレンズ外周部における光軸方向のサグ量の絶対値の最大値よりも、出射回折面の包絡面のレンズ外周部における光軸方向のサグ量の絶対値の方が小さい、ことは本実施例の最も本質的な特徴である。
【００４９】
次に、本実施例の効果について説明する。本実施例の回折レンズを車載用灯具に適用した場合、ロービーム照射時のカットオフラインの結像性能は十分満足できるものであった。効果の説明の前に、カットオフラインの形成について説明する。
【００５０】
図４は、ロービーム照射時のカットオフラインの形成の原理を説明する図である。白色光源であるＬＥＤ光源１４０１から放射された光がリフレクタ１４０２を反射して、シェード１４０３のエッジ近傍に集光される。リフレクタ１４０２の形状を略楕円体形状とすることで、一方の焦点近傍にＬＥＤ光源１４０１を配置し、他方の焦点にシェード１４０３のエッジ位置を配置することによって、このような集光が可能となる。しかしＬＥＤ光源１４０１は点光源ではなく大きさを持っており、焦点から外れた点から発生した光はシェード１４０３のエッジからずれた位置に向けて照射される。その際、シェード１４０３のエッジより光源側に照射される光線はシェード１４０３の平面部において反射し、またシェード１４０３のエッジより上方に照射される光線は反射されずに、いずれもレンズ１４０４に入射する。このとき、レンズ１４０４の焦点位置をシェード１４０３のエッジ位置に一致するように配置すると、エッジに極めて近接した位置を透過、ないし反射した光は光軸に沿った平行光線１４０５として前方に照射される。
【００５１】
レンズ１４０４から数１０ｍ前方ではレンズ口径に比べて十分遠方のため、照射される光の分布はレンズ１４０４を出射する光線の角度の分布に等しい。そのため、シェード１４０３のエッジ近傍からの光線１４０５は、光軸近傍のカットオフライン上に照射される。同様にして、シェード１４０３のエッジは図４において紙面垂直方向に連続しており、その軌跡近傍を通る光線は、いずれもレンズ１４０４の数１０ｍ前方においてカットオフラインに沿った略水平線上に照射される。これはすなわち、シェード１４０３のエッジの影が数１０ｍ以遠の前方において一様に投影されることを意味しており、上方を照射する光を遮蔽する効果を有する。
【００５２】
またシェード１４０３のエッジより上側を通過する光は、シェード１４０３の平面部で反射したか否かに関わらず、いずれもレンズ１４０４の焦点面上で上側を発した光線とみなすことができるため、それらの光線はいずれも光軸から下向きの角度で前方に照射される。これらの下向きの光線１４０６はカットオフラインから下の角度領域を照射する光となる。ここでレンズ１４０４から見て、シェード１４０３の下方向の角度領域はリフレクタ１４０２からの光線が到達しない影の領域となるため、この領域からの光線が存在すれば照射されたはずのカットオフライン上方の領域は遮蔽されて暗部となる。一般にレンズを用いるプロジェクタタイプのロービーム用ヘッドライトでは、このようにしてカットオフラインが形成される。
【００５３】
形成されるカットオフラインは、自車とすれ違う対向車の運転者の目の位置よりも低くなるように設定することで、対向車の運転者の目を幻惑することなく、自車の最低限の視野を照射することができる。なお、ハイビーム照射においては、シェード１４０３を光学系から除去することでカットオフライン上方の領域についても照射できる。
【００５４】
図５は、ロービーム照射時の配光分布の基準特性を示す図で、従来の照射レンズ（厚さが２０ｍｍ以上の非回折レンズ）を用いた場合の特性である。ピーク光度に対して０．１、０．０１、０．００１の比の相対光度となる角度範囲を等高線で示している。３本の等高線が垂直方向角度０°近傍の水平線近傍で重なっているラインをカットオフラインと称しており、線が重なっていることから、カットオフラインを境としてその上方では急峻に光度が低下していることが分かる。本実施例では、図５に示すようにカットオフラインが明瞭に形成されるような配光分布の特性を、薄肉化したレンズにより実現することを目標とする。
【００５５】
図６は、本実施例の回折レンズ１０１によって得られたロービームの配光分布を示す図である。カットオフラインの光度変化のコントラストが向上し、左右両側で水平なカットオフラインが形成されることが判明した。つまり、カットオフラインを境としてその上方では急峻に光度が低下しており、図５に示した基準特性のカットオフラインと同等の良好な性能が得られることが分かる。なお、カットオフラインが水平方向角度０°近傍で屈曲し、右側でカットラインが下がっていることによって、自車の右側前方から来る対向車の運転者の目を照射しないようになっている。
【００５６】
図７は、本実施例の回折レンズ１０１によって得られたハイビームの配光分布を示す図である。ハイビームにおいてはロービーム用のヘッドライトにおいてシェードを光学系から除去することで実現できる。シェードがないため、カットオフラインが形成されず上方にも光が照射されている。
【００５７】
車載用灯具の配光特性は、通常２５ｍ前方のスクリーン上で評価されるが、図５〜７に示した通り、評価範囲は水平線方向に±６０°程度、垂直方向に±２０°程度であり、水平方向と垂直方向とで範囲が大幅に異なる。このような評価の非等方性から、従来のレンズにおいても、入射面または出射面の少なくともいずれか一面には非回転対称な形状が採用されている。
【００５８】
本実施例の回折レンズにおいても、入射面は光軸に対して回転対称でなく、自由曲面で形成されている。ただし回転対称からのずれ（非対称性）はあまり大きくなく、見かけ上それを判断できない程度である。一方、本実施例における出射側の回折レンズ面１０７は、金型加工の制約から回転対称の形状としている。そのため、入射面には必然的に非回転対称な自由曲面とすることが要求される。
【００５９】
本実施例の回折レンズによれば、ロービームのカットオフラインの結像性能に優れるだけでなく、回折効率の低下や不要な次数の回折光の発生を抑える効果がある。また、金型成形で格子面の変形が少ない薄肉のレンズを提供できる。
【実施例２】
【００６０】
図８は、実施例２に係る回折レンズの形状を示す図であり、図９は回折レンズの寸法仕様の例を一覧表で示したものである。
【００６１】
実施例１（図１）と同様に、回折レンズ２０１は、仮想光源２０３からの入射光２０４を略平行光として出射する。出射面２０５には高次の回折レンズ面２０７を配置し、設計中心波長５５０ｎｍに対して４０次回折光を発生させる形状としている。
【００６２】
図９を参照し、実施例１に述べた第１〜第６の特徴と比較して説明する。まず第１、第２の特徴に関し、高次の回折レンズ面２０７を出射面側に有し、両凸レンズ形状であることから、いずれも満たしている。
【００６３】
第３の特徴については、実施例１でのサグ量についての大小関係については満たしていないが、これに代えて、入射面と出射面の曲率の大小関係について同様の特徴を有する。すなわち、入射面２０２の面頂点における曲率の絶対値よりも、出射回折面２０７の包絡面２０８の面頂点における曲率の絶対値を小さくしている。図９に示したように、面頂点の曲率は、入射面が０．０２４５（曲率半径：４０．７７ｍｍ）、出射回折面の包絡面が−０．０１５３（曲率半径：−６５．０６ｍｍ）であり、曲率の絶対値は、入射面側よりも出射面側の方を小さくしている。一方、レンズ外周部の光軸方向のサグ量の絶対値は、入射面側が４．４４６ｍｍ、出射面側が６．１６２ｍｍであり、入射面よりも出射面の方が大きい。このように実施例２では、第３の特徴を入射面と出射面の曲率の大小関係で表したものである。
【００６４】
第４〜第６の特徴については、いずれも満足している。すなわち第４の特徴に関し、中心厚１５ｍｍに対してコバ厚４．３９ｍｍであり、その比は０．２９３であることから、０．２５以上、０．５以下を満足している。第５の特徴に関し、トータルのレンズパワが２０．４７Ｄに対して、回折面の２次の位相関数係数α２＝−８２２．８（ｒａｄ）であり、回折面のレンズパワが６．２８Ｄとなる。よって、トータルパワに対する回折レンズパワの比は０．３０７であって、０．３以上、０．６以下を満たしている。第６の特徴に関し、中心厚の焦点距離に対する比は０．３０７であって、０．２以上、０．３５以下を満たしている。
【００６５】
本実施例の回折レンズ２０１においても図６とほぼ同様のカットオフラインが得られており、その結像状態は良好であった。
【実施例３】
【００６６】
図１０は、実施例３に係る回折レンズの形状を示す側面図であり、図１１は回折レンズの寸法仕様の例を一覧表で示したものである。
【００６７】
実施例１（図１）、実施例２（図８）と同様に、回折レンズ３０１は、仮想光源３０３からの入射光３０４を略平行光として出射する。出射面３０５には高次の回折レンズ面３０７を配置し、中心波長５５０ｎｍに対して４０次回折光を発生させる形状としている。
【００６８】
実施例１に述べた第１〜第６の特徴と比較して説明する。まず第１、第２の特徴に関し、高次の回折レンズ面３０７を出射面側に有し、両凸レンズ形状であることから、いずれも満たしている。
【００６９】
第３の特徴については、実施例２と同様に、入射面３０２の面頂点における曲率の絶対値よりも、出射回折面３０７の包絡面３０８の面頂点における曲率の絶対値を小さくしている。図１１に示したように、面頂点の曲率は、入射面が０．０２６６（曲率半径：３７．５７ｍｍ）、出射回折面の包絡面が−０．０１１４（曲率半径：−８７．４８ｍｍ）であり、曲率の絶対値は、入射面側よりも出射面側の方を小さくしている。一方、レンズ外周部の光軸方向のサグ量の絶対値は、入射面側が４．９８６ｍｍ、出射面側が５．７６７ｍｍであり、入射面よりも出射面の方がわずかに大きく、目視ではサグ量の差は微妙になっている。このように第３の特徴に関しては、実施例２おける曲率の大小関係の条件に近いものである。
【００７０】
第４〜第６の特徴については、いずれも満足している。すなわち第４の特徴に関し、中心厚１５ｍｍに対してコバ厚４．２５ｍｍであり、その比は０．２８３であることから、０．２５以上、０．５以下を満足している。第５の特徴に関し、トータルのレンズパワが２０．８２Ｄに対して、回折面の２次の位相関数係数α２＝−８８８．５（ｒａｄ）であり、回折面のレンズパワが６．７９Ｄとなる。よって、トータルパワに対する回折レンズパワの比は０．３２６であって、０．３以上、０．６以下を満たしている。第６の特徴に関し、中心厚の焦点距離に対する比は０．３１２であって、０．２以上０．３５以下を満たしている。
【００７１】
本実施例の回折レンズ３０１においても図６とほぼ同様のカットオフラインが得られており、その結像状態は良好であった。
【００７２】
以上の実施例１〜実施例３の結果から、高次回折レンズを出射面に用いて車載用灯具の結像性能を確保するためには、入射面と出射面のサグ量または曲率について所定の大小関係が成り立つような形状とすることが重要であると言える。つまり、入射面のレンズ外周部における光軸方向のサグ量の絶対値の最大値よりも、出射回折面の包絡面のレンズ外周部における光軸方向のサグ量の絶対値の方が小さいこと（実施例１における第３の特徴）、または、入射面の面頂点における曲率の絶対値よりも、出射回折面の包絡面の面頂点における曲率の絶対値の方が小さいこと（実施例２、３における第３の特徴）、のいずれかを満足する必要があることを見出した。
【００７３】
図１２は、比較のため、条件（第３の特徴）を満たさない回折レンズの配光分布を示す図である。すなわち、回折レンズの入射面側の曲率よりも出射面側の曲率が大きく、かつ、入射面側のサグ量よりも出射面側のサグ量が大きい場合について示す。光軸近傍でカットオフラインにぼけが生じているとともに、水平方向の角度が大きい領域でカットオフラインが湾曲していることが分かる。これは、回折レンズを用いてメニスカスレンズとせずにレンズを薄肉化する場合に特有な現象であるが、上記した第３の特徴を満たしていないことが原因と考えられる。
【００７４】
この点に関し一般的なレンズ特性として、例えば平凸レンズを用いて点光源の像を平行光として無限遠に結像する場合、レンズ平面側を点光源側に向ける方が球面収差と呼ばれるぼけが少なく、結像性能が高いことが知られている。これから予想すれば、入射面側の曲率（またはサグ量）よりも出射面側の曲率（またはサグ量）の方を大きくした方が結像性能が良いはずであるが、実施例１〜３の第３の特徴はこの予想に反するものである。これは本件発明者としても予想外の結果であり、本発明が特許に値する発明であることの傍証にもなっていると考える。このような条件（第３の特徴）にすると、なぜレンズの結像性能を落とさずに中心厚の薄肉化が可能となるのか、まだ理論的に分析できていないが、レンズの全体形状と高次回折面の配置との相互関係が寄与しているものと推測される。
【実施例４】
【００７５】
実施例４では、実施例１−３に述べた回折レンズを用いた車載用灯具について説明する。
【００７６】
図１３は、実施例４に係る車載用灯具の構成図である。
車載用灯具４００において、白色光源である例えばＬＥＤ光源４０１から放射される光は、凹面リフレクタ４０２の内面の鏡面によって反射、集光される。その集光位置近傍に、遠方に照射する配光分布（ロービーム）を反映したシェード４０３と呼ばれる遮蔽物を配置し、それを通過した光を回折レンズ４０４によって前方に照射する。回折レンズ４０４は、実施例１−３に述べた回折レンズ１０１，２０１，３０１の特徴を有している。シェード４０３はレンズの像面湾曲に合わせて湾曲させることで、照射される配光分布の明暗境界（カットオフライン）をより鮮鋭化することができる。なお、ハイビーム照射の場合にはシェード４０３を可動にして光路から除去することにより実現できる。
【００７７】
実施例１−３に述べた回折レンズを用いることによって、本実施例の車載用灯具は十分満足できるロービーム照射が可能となる。また、薄肉の回折レンズを用いることで、灯具の小型化が可能になる。
【符号の説明】
【００７８】
１０１，２０１，３０１，４０４…回折レンズ、
１０２，２０２，３０２…入射面、
１０３，２０３，３０３…仮想光源、
１０４，２０４，３０４…入射光線、
１０５，２０５，３０５…出射面、
１０６，２０６，３０６…光軸、
１０７，２０７，３０７…回折レンズ面（出射回折面）、
１０８，２０８，３０８…包絡面、
４００…車載用灯具、
４０１…ＬＥＤ光源、
４０２…凹面リフレクタ、
４０３…シェード。
【図１】
2018116800.tif 000008
【図２】
2018116800.tif 000009
【図３】
2018116800.tif 000010
【図４】
2018116800.tif 000011
【図５】
2018116800.tif 000012
【図６】
2018116800.tif 000013
【図７】
2018116800.tif 000014
【図８】
2018116800.tif 000015
【図９】
2018116800.tif 000016
【図１０】
2018116800.tif 000017
【図１１】
2018116800.tif 000018
【図１２】
2018116800.tif 000019
【図１３】
2018116800.tif 000020